(57)【要約】【課題】ハンドオーバ処理の高速化とシステム負荷の軽減を実現する方法とシステムの提供。【解決手段】移動体端末１０と無線接続する無線基地局を収容する交換機３０において、前記移動体端末１０からの信号を終端する移動体端末終端装置３２１をアンカーとして固定しておき、移動体端末１０が、交換機３０に収容される第１の無線基地局２０１のサービスエリア５０１から第２の無線基地局２０２のサービスエリア５０２へ移動することによるハンドオーバ発生時、交換機３０において、前記アンカーの移動体端末終端装置３２１はそのまま継続して用い、第２の無線基地局２０２を制御する基地局制御装置３１２と、アンカーの移動体端末終端装置３２１とのパスを切替接続する。【選択図】　図２
2004056430.tif 000002
【特許請求の範囲】
【請求項１】
（ａ）移動体端末と無線接続する無線基地局を収容する交換機において、前記移動体端末からの信号を終端する移動体端末終端装置をアンカーとして固定しておき、
（ｂ）前記移動体端末が、前記交換機に収容される一つの無線基地局のサービスエリアから、前記交換機に収容される他の無線基地局のサービスエリアへ移動したとき、前記交換機において、前記アンカーの移動体端末終端装置を、前記移動体端末の終端装置として継続して用い、前記アンカーの移動体端末終端装置を、前記一つの無線基地局を制御する基地局制御装置から、前記他の無線基地局を制御する基地局制御装置との接続に切替える、
上記各工程を含む、ことを特徴とする移動体端末の制御方法。
【請求項２】
前記交換機において、前記移動体端末終端装置と、複数の無線基地局のそれぞれに対応する複数の基地局制御装置との間には、スイッチを介して、パスが相互に張られている、ことを特徴とする請求項１記載の移動体端末の制御方法。
【請求項３】
ハンドオーバ処理を行う場合、現在、通信中のパスから、移動先のパスに切り替える時、前記交換機において、前記アンカーの移動体端末終端装置の接続を、元の前記一つの無線基地局を制御する基地局制御装置から、移動先の前記他の無線基地局を制御する基地局制御装置へ、ＡＴＭスイッチを介して、パスを切替えることで行われ、パスを新たに張ることを不要としている、ことを特徴とする請求項１記載の移動体端末の制御方法。
【請求項４】
移動体端末と、前記移動体端末と無線通信する無線基地局と、前記無線基地局を制御する基地局制御装置と、前記無線基地局と前記基地局制御装置からなる基地局システムを複数収容する交換機と、を含む移動体通信システムにおける移動体端末の制御方法であって、
（ａ）パケット通信中の移動体端末に、ハンドオーバが発生したときに、前記移動体端末が、ハンドオーバ先の基地局制御装置に向けてパケットチャネルの登録要求を行う工程と、
（ｂ）前記ハンドオーバ先の基地局制御装置では、前記基地局制御装置の上位装置に対して前記移動体端末が自エリアにてチャネル登録要求をしたことを通知する工程と、
（ｃ）前記上位装置は、前記移動体端末を終端しアンカーである移動体端末終端装置に対して、前記ハンドオーバ先の基地局制御装置との通信接続に移行するように要求する工程と、
（ｄ）前記アンカーである移動体端末終端装置は、前記ハンドオーバ先の基地局制御装置を確認し、前記上位装置からの要求に対して応答を返す工程と、
（ｅ）前記上位装置が、前記ハンドオーバ先の基地局制御装置に対して、前記アンカーである移動体端末終端装置の情報を通知し、前記アンカーである移動体端末終端装置との通信要求を行う工程と、
（ｆ）前記ハンドオーバ先の基地局制御装置は、前記アンカーである移動体端末終端装置を確認し、前記上位装置からの通信要求に対して応答を行う工程と、
（ｇ）前記ハンドオーバ先の基地局制御装置は、前記アンカーである移動体端末終端装置に対して、パケットチャネルの登録要求を行い、前記アンカーである移動体端末終端装置は、前記上位装置に対して、前記ハンドオーバ先の基地局制御装置とのパケットチャネルの登録要求を行う工程と、
（ｈ）前記上位装置が、前記アンカーである移動体端末終端装置に対して、パケットチャネルの登録要求に対する応答を行い、前記アンカーである移動体端末終端装置は、前記ハンドオーバ先の基地局制御装置に対して、パケットチャネルの登録要求への応答を返す工程と、
を含む、ことを特徴とする移動体端末の制御方法。
【請求項５】
（ｉ）前記上位装置が、ハンドオーバ元の基地局制御装置に対してパケット通信切断要求を行い、前記要求を受けた前記ハンドオーバ元の基地局制御装置では、少なくとも、前記ハンドオーバ前のパケットチャネルを解放する工程と、
（ｊ）前記ハンドオーバ元の基地局制御装置が、前記上位装置に対して、前記パケット通信切断要求の応答を返す工程と、
を含む、ことを特徴とする請求項４記載の移動体端末の制御方法。
【請求項６】
移動体端末と、前記移動体端末と無線通信する無線基地局と、前記無線基地局を制御する基地局制御装置と、前記無線基地局と前記基地局制御装置からなる基地局システムを複数収容する交換機とを含む移動体通信システムにおいて、
前記交換機内に設けられ、前記移動体端末からの信号を終端する移動体端末終端装置をアンカーとして固定しておき、
前記移動体端末の、前記交換機に収容される一の無線基地局のサービスエリアから前記交換機に収容される他の無線基地局のサービスエリアへの移動によるハンドオーバ発生時、前記アンカーの移動体端末終端装置が前記移動体端末の終端装置として継続して用いられ、
前記交換機が、前記アンカーの移動体端末終端装置を、前記一の無線基地局を制御する基地局制御装置との接続から、前記他の無線基地局を制御する基地局制御装置との接続に切替設定する手段を備えている、ことを特徴とする移動体通信システム。
【請求項７】
前記交換機において、複数の前記移動体端末終端装置と、複数の前記基地局制御装置との間とが、スイッチを介して、相互の接続が切替自在とされている、ことを特徴とする請求項６記載の移動体通信システム。
【請求項８】
前記スイッチが、ＡＴＭスイッチよりなる、ことを特徴とする請求項７記載の移動体通信システム。
【請求項９】
前記交換機が、インターネット網との間でのプロトコル変換を行う関門交換機に接続されている、ことを特徴とする請求項６乃至８のいずれか一に記載の移動体通信システム。
【請求項１０】
移動体端末と無線接続する無線基地局と前記無線基地局を制御する基地局制御装置とが基地局システムをなし前記基地局システムを複数収容する交換機において、
前記移動体端末からの信号を終端する移動体端末終端装置を、アンカーとして固定しておき、
前記移動体端末の、前記交換機に収容される一の無線基地局のサービスエリアから前記交換機に収容される他の無線基地局のサービスエリアへの移動によるハンドオーバ発生時、前記アンカーの移動体端末終端装置が前記移動体端末の終端装置として継続して用いられ、
前記アンカーの移動体端末終端装置を、前記一の無線基地局を制御する基地局制御装置との接続から、前記他の無線基地局を制御する基地局制御装置との接続にパスを切替設定するスイッチ手段を備えていることを特徴とする交換機。
【請求項１１】
移動体端末と無線接続する無線基地局と前記無線基地局を制御する基地局制御装置とが基地局システムをなし前記基地局システムを複数収容する交換機を構成するコンピュータ上で実行されるプログラムであって、
前記移動体端末からの信号を終端する移動体端末終端装置を、アンカーとして固定しておき、
前記移動体端末の、前記交換機に収容される一の無線基地局のサービスエリアから前記交換機に収容される他の無線基地局のサービスエリアへの移動によるハンドオーバ発生時、前記アンカーの移動体端末終端装置が前記移動体端末の終端装置として継続して用いられ、
前記アンカーの移動体端末終端装置を、前記一の無線基地局を制御する基地局制御装置との接続から、前記他の無線基地局を制御する基地局制御装置との接続に切替設定する処理を、前記交換機を構成するコンピュータに実行させるプログラム。
【発明の詳細な説明】
【０００１】
【発明の属する技術分野】
本発明は、移動体通信システムに関し、特に、通信中の移動体端末がサービスエリア間の移動を行う際に、その通信を切断することなく新しいサービスエリアに変更し、同一エリア内で通信チャネルの状態をより良く保つために用いて好適とされるシステムと方法並びにプログラムに関する。
【０００２】
【従来の技術】
ハンドオーバ処理は、従来より、移動体通信システム全般に採用されている。
移動体端末（ＭＳ）の通信中のサービスエリアの切替技術として、例えば移動体端末と移動交換局（ＭＳＣ）間のデータ転送が同期系のシステムにおいては、複数の通信パスを同時に設定し、これらの複数のパスを介して同一通信データを送受信し、受信側においてエラー率の低いデータの選択もしくは同一通信データを合成し、エラー率の低いデータ通信を行うことで、ハンドオーバ時のチャネル切替時に使用チャネルに不連続が発生せず、データの欠落が生ぜず、無瞬断でハンドオーバが実現される。
【０００３】
一方、無線基地局を収容する移動交換局と、無線基地局間における有線回線部の回線利用効率を図るため、非同期の固定長又は可変長のフレーム、パケット又はＡＴＭ（Ａｓｙｎｃｈｒｏｎｏｕｓ　Ｔｒａｎｓｆｅｒ　Ｍｏｄｅ）セルを用いて通信データ、制御データが伝送される非同期系の伝送路が用いられている。この非同期系伝送路においても、ハンドオーバの際の情報の連続性を保たなければならない。
【０００４】
ＡＴＭ交換機を有する移動体通信システムに関する刊行物として、例えば特開平１０−１４５８３５号公報には、ＡＴＭ化された伝送路を有する移動体通信システムにおいて無瞬断ハンドオーバを実現する方法が開示されている。また特表２００１−５０９６５２号公報には、ＡＴＭ（非同期転送モード）、ＷＡＴＭ（ワイヤレス非同期転送モード）用ネットワークにおいてハンドオーバ中にデータの損失のない方法が記載されている。また特表平１１−５００８７５号公報には、ベースステーションコントローラ（ＢＳＣ）間でハンドオーバを実行する方法及び構成体が開示されており、ＢＴＳ（ベースステーション）とベースステーションコントローラ（ＢＳＣ）よりなるベースステーションシステム（基地局システム）は、固定ネットワークへのワイヤレスアクセスネットワーク（ＧＳＭシステムに基づく無線システム）を移動ステーション（ＭＳ）に与え、ベースステーションコントローラ（ＢＳＣ）間のハンドオーバのコントローラがＢＳＣに配置され、通話の第１のＢＳＣがアンカーポイントとして機能するように、ローカル交換機を経て確立された最初の接続が維持され、そこからさらに別の接続がハンドオーバ中に第２のＢＳＣへ確立され、ベースステーションコントローラは通話の終わりにベースステーションコントローラ間のローカル通話接続を必要に応じてアンリリースし、ベースステーション間の次のハンドオーバのために保存する構成とされている。
【０００５】
近時、このハンドオーバの処理量の低減、システム負荷の軽減が要求されている。
【０００６】
移動体通信システムにおける従来のハンドオーバ処理の一例について、図７を参照して説明しておく。図７を参照すると、この従来のシステムは、無線基地局２０１、２０２をＡＴＭ等の非同期伝送路を介して収容するＡＴＭ交換機６０を備え、無線基地局２０１、２０２とＡＴＭ交換機６０間は、ＡＴＭセル等を用いて通信データ、制御データが送受信される。
【０００７】
ＡＴＭ交換機６０は、移動体端末１０の信号を終端する移動体端末終端装置６２を備えており、無線基地局２０１、２０２をそれぞれ制御する基地局制御装置６１１、６１２と、移動体端末終端装置６２１、６１２のパスの切替を制御する。基地局制御装置（「ＢＳＣ」ともいう）６１１、６１２の各々は、それぞれに対応する無線基地局（「ＢＴＳ」ともいう）２０１、２０２とともに基地局システムをそれぞれ構成しており、例えばレイヤ１の中継的な役割をなしている。ＡＴＭ交換機６０内の移動体端末終端装置６２１、６１２は、一般に、ＬＡＰＤ（Ｌｉｎｋ　Ａｃｃｅｓｓ　Ｐｒｏｃｅｄｕｒｅ　ｏｎ　ｔｈｅ　Ｄ−ｃｈａｎｎｅｌ）と呼ばれるレイヤ２のプロトコルの終端を行う。またレイヤ３としては、無線資源を管理するＲＴ（Ｒａｄｉｏ　Ｔｒａｎｓｍｉｓｓｉｏｎ）、移動局の移動性を管理するＭＭ（Ｍｏｂｉｌｉｔｙ　Ｍａｎａｇｅｍｅｎｔ）、この接続及び切断を管理するＣＣ（ｃａｌｌ　ｃｏｎｔｒｏｌ）が移動体端末と無線基地局及び交換機に実装される。ＡＴＭ交換機６０内の移動体端末終端装置６２１、６２２は、例えばＡＴＭ交換機６０が収容可能な加入者数に対応している。あるいは、１台の移動体端末終端装置で、複数の加入者をサポートする構成であってもよい。
【０００８】
一つの無線基地局２０がサポートすることのできるエリア（無線ゾーン）を「サービスエリア」という。移動体端末１０が、無線基地局２０１のサービスエリア５０１より、無線基地局２０２のサービスエリア５０２への移動により、ハンドオーバを行う際には、該当する移動体端末１０の情報を終端処理していた移動体端末終端装置６２１は、ハンドオーバ先の移動体端末終端装置６２２に変更されることになる。
【０００９】
すなわち、従来の移動体通信システムにおいては、一回のハンドオーバが発生するたびに、
（ａ）移動元の基地局制御装置６１１と移動先の基地局制御装置６１２間のパス接続と、
（ｂ）移動先の基地局制御装置６１２と移動先の移動体端末終端装置６２２間のパス接続と、
を行う必要がある。
【００１０】
すなわち、移動前に使用しているパスを、全て、移動先のパスに切り替えなければならない。
【００１１】
さらに、図７に、（ｃ）として示すように、この従来のシステムでは、通信中のユーザの情報を保持するため、移動元の移動体端末終端装置６２１と、移動先の移動体端末終端装置６２２間において、ユーザ情報のコピーが行われる。
【００１２】
このように、従来のハンドオーバ方式では、１回のハンドオーバに必要な処理が多いことから、システムに与える処理能力上の負荷が大となる。
【００１３】
また、ＡＴＭ交換機６０内において、移動元の移動体端末終端装置６２１と移動先の移動体端末終端装置６２２間で、ユーザー情報のコピーが失敗した場合には、通信の瞬断、データ抜け等が発生する。
【００１４】
【発明が解決しようとする課題】
したがって、本発明の目的は、ハンドオーバ処理の高速化とシステム負荷の軽減を実現する方法とシステム並びにコンピュータプログラムを提供することにある。
【００１５】
【課題を解決するための手段】
前記目的を達成する本発明に係る方法は、移動体端末と無線接続する無線基地局を収容する交換機において、前記移動体端末からの信号を終端する移動体端末終端装置をアンカーとして固定しておき、前記移動体端末が、前記交換機に収容される一つの無線基地局のサービスエリアから前記交換機に収容される他の無線基地局のサービスエリアへ移動したとき、前記交換機において、前記アンカーの移動体端末終端装置を、前記移動体端末の終端装置として継続して用い、前記アンカーの移動体端末終端装置を、前記一つの無線基地局を制御する基地局制御装置から、前記他の無線基地局を制御する基地局制御装置との接続に切替える。
【００１６】
本発明に係る方法において、前記移動体端末終端装置と基地局制御装置間にはあらかじめパスを、スイッチを介して相互に張られている。
【００１７】
本発明に係る方法において、ハンドオーバ処理を行う場合、現在、通信中のパスから、移動先のパスに切り替える時、前記アンカーの移動体端末終端装置の接続を、元の第１の無線基地局を制御する基地局制御装置から、前記第２の無線基地局を制御する基地局制御装置へパスを切替えることで行われ、前記パスを新たに張ることを要しない。
【００１８】
本発明に係るシステムは、移動体端末と、前記移動体端末と無線通信する無線基地局と、前記無線基地局を制御する基地局制御装置と、前記無線基地局と前記基地局制御装置からなる基地局システムを複数収容する交換機とを含む移動体通信システムにおいて、前記交換機内に設けられ、前記移動体端末からの信号を終端する移動体端末終端装置をアンカーとして固定しておき、前記移動体端末の、前記交換機に収容される一の無線基地局のサービスエリアから前記交換機に収容される他の無線基地局のサービスエリアへの移動によるハンドオーバ発生時、前記アンカーの移動体端末終端装置が前記移動体端末の終端装置として継続して用いられ、前記交換機が、前記アンカーの移動体端末終端装置を、前記一の無線基地局を制御する基地局制御装置との接続から、前記他の無線基地局を制御する基地局制御装置との接続に切替設定する手段を備えている。
【００１９】
本発明に係るプログラムは、移動体端末と無線接続する無線基地局と前記無線基地局を制御する基地局制御装置とが基地局システムをなし前記基地局システムを複数収容する交換機を構成するコンピュータで実行させるプログラムであって、前記移動体端末からの信号を終端する移動体端末終端装置を、アンカーとして固定しておき、前記移動体端末の、前記交換機に収容される一の無線基地局のサービスエリアから前記交換機に収容される他の無線基地局のサービスエリアへの移動によるハンドオーバ発生時、前記アンカーの移動体端末終端装置が前記移動体端末の終端装置として継続して用いられ、前記アンカーの移動体端末終端装置を、前記一の無線基地局を制御する基地局制御装置との接続から、前記他の無線基地局を制御する基地局制御装置との接続に切替設定する処理を、前記コンピュータに実行させるプログラムよりなる。
【００２０】
【発明の実施の形態】
本発明の実施の形態について説明する。図１乃至図３は、本発明の実施の形態を説明するための模式図である。本発明の実施の形態は、図１に示すようなＡＴＭ交換機３０を有する移動体通信システムにおいて、移動体端末１０を収容するＡＴＭ交換機３０内の移動体端末終端装置３２をアンカー（錨）として固定しておく。そして、図２に示すように、移動体端末１０のサービスエリアの移動、すなわち、第１の無線基地局２０１のサービスエリア５０１から第２の無線基地局２０２のサービスエリア５０２への移動によるハンドオーバが発生しても、ＡＴＭ交換機３０において、移動体端末１０を終端する移動体端末終端装置３２１は変更することなく継続して用いている。
【００２１】
ＡＴＭ交換機３０内の移動体端末終端装置３２１では、現在終端しているユーザの移動体端末１０を処理し、これにより、通信の瞬断をなくし、さらに、再送制御等の処理の省略や、最少のパス切替動作を実現することにより、ハンドオーバ処理の高速化を可能としている。
【００２２】
本発明のアンカーを使ったハンドオーバ処理では、移動体端末終端装置３２をアンカーとして固定し、この移動体端末終端装置３２の上位装置である複数の基地局制御装置３１との間に、図３に示すように、あらかじめメッシュ状に、パスを張り巡らせておくことにより、移動体端末１０のハンドオーバが発生しても、アンカーとなる移動体端末終端装置３２と移動先となる基地局制御装置３１とのパスに切り替えるだけで、ハンドオーバ動作が実行される。すなわち、複数の基地局制御装置３１１〜３１ｎと、複数の移動体端末終端装置３２１〜３２ｍとは、ＡＴＭスイッチ３４を介して相互に接続される。なお、複数の移動体端末終端装置３２１〜３２ｍの個数は、交換機３０が収容可能な加入者数に対応している。あるいは、１台の移動体端末終端装置で、複数の加入者をサポートする構成であってもよい。
【００２３】
このように、本発明の実施の形態によれば、ハンドオーバの際に発生する処理を、最少に軽減することによるハンドオーバ処理の高速化と、ハンドオーバ処理がシステムに与える負荷を軽減する。
【００２４】
本発明において、移動体端末と無線接続する無線基地局に接続する交換機において、前記移動体端末からの信号を終端する移動体端末終端装置をアンカーとして固定しておき、前記移動体端末の元の無線基地局のサービスエリアから移動先の無線基地局のゾーンへの移動によるハンドオーバ発生時、前記交換機において、前記アンカーの移動体端末終端装置はそのまま用い、ＡＴＭスイッチを介して前記移動先の無線基地局を制御する基地局制御装置と、前記アンカーの移動体端末終端装置とのパスを接続するように制御する処理は、交換機（図１乃至図３の３０）を構成するコンピュータで実行させるプログラムによって行うことができる。上記した実施の形態について更に詳細に説明すべく、本発明の実施例について以下に説明する。
【００２５】
【実施例】
図４には、本発明の一実施例として、移動体パケット通信システムとして、例えばＰＤＣ（Ｐｅｒｓｏｎａｌ　Ｄｉｇｉｔａｌ　Ｃｅｌｌｕｌａｒ）におけるインターネットとのパケット基本接続を実現したシステムが示されている。このシステムは、移動体端末から様々なプロバイダを介して、インターネット網に接続し、パケットデータの通信を行うシステムである。なお、ＰＤＣのＴＤＭＡ（時分割多元接続）以外にも、ＣＤＭＡ（符号分割多元接続）方式等の移動体通信方式に適用してもよいことは勿論である。
【００２６】
このシステムにおいて、本発明は、パケット通信中の移動体端末がサービスエリアの移動に伴うハンドオーバを行う際に用いられる。
【００２７】
図４を参照すると、この実施例のシステムにおいて、無線基地局２０は、移動体端末１０との間で無線区間のデータをやり取りするために使用される。一つの無線基地局２０がサポートすることのできるエリアを「サービスエリア」という。
【００２８】
無線基地局２０とＡＴＭ交換機３０とは非同期伝送路上に伝送されるＡＴＭセル等で通信データ、制御データが伝送される。
【００２９】
ＡＴＭ交換機３０内における移動体端末終端装置３２は、移動体端末１０との間のプロトコルを終端する。移動体端末終端装置３２は、前述したレイヤ２、３等のプロトコルを終端する。
【００３０】
なお、図４において、無線基地局２０１〜２０ｎ、基地局制御装置３１１、３１２、移動体端末終端装置３２１、３２２、プロトコル変換装置４１１、４１２、パケット処理装置４２１、４２２の各参照符号における下付きの添え字１、２、ｎ等は、それぞれ１番目、２番目、ｎ番目の装置であること表している。以下の説明で、装置の何番目であることを特定することが必要でない場合には、参照符号の添え字は指定しない。
【００３１】
移動体端末終端装置３２の上位装置をなす基地局制御装置３１は、制御を行う無線基地局２０に対応して設けられる。１つの無線基地局（「ＢＴＳ」ともいう）と該無線基地局に対応する１つの基地局制御装置（「ＢＳＣ」ともいう）とで無線アクセスネットワークをなす基地局システムをなしており、無線基地局は、音声等の回線による通信機能と、パケット通信を行う機能を備えている。
【００３２】
パケット処理装置３３、４２は、ＡＴＭ交換機３０と関門交換機４０にそれぞれ設置され、それぞれの交換機３０、４０内におけるパケットのプロトコル処理を行う。
【００３３】
また、関門交換機４０に設置されているプロトコル変換装置４１は、ＡＴＭ交換機３０、関門交換機４０内で使用されているデータ形式を、インターネット網で使用されているプロトコル（例えばＵＤＰ（Ｕｓｅｒ　Ｄａｔａｇｒａｍ　Ｐｒｏｔｏｃｏｌ）／ＩＰ（Ｉｎｔｅｒｎｅｔ　Ｐｒｏｔｏｃｏｌ）その他）に対応するデータ形式に、プロトコルの変換を行う装置である。また、関門交換機４０のプロトコル変換装置４１は、インターネット網からのデータを受け取り、ＡＴＭ交換機３０、関門交換機４０内で使用されているデータ形式にプロトコル変換する。
【００３４】
ＡＴＭ交換機３０、関門交換機４０には、入力ポートと出力ポートの接続の切替を行うＡＴＭスイッチ３４、４４がそれぞれ設けられており、ＡＴＭセルによる制御データ、通信データの交換と伝送が行われる。
【００３５】
図５は、本実施例におけるハンドオーバ動作を模式的に示す図である。図５を参照して、ハンドオーバ動作を順番に説明する。
【００３６】
図５において、（ａ）は、ハンドオーバする前に滞在している第１の無線基地局２０１の管理するサービスエリア５０１内において、第１の無線基地局２０１とその上位装置である第１の基地局制御装置３１１のパスが接続状態にあることを示している。
【００３７】
（ｂ）は、ハンドオーバする前の移動体端末１０が、アンカーとなる移動体端末終端装置３２１とパスが接続状態にあることを示している。
【００３８】
（ｃ）は、パケット通信中の移動体端末１０が、第１の無線基地局２０１のサービスエリア５０１から第２の無線基地局２０２のサービスエリア５０２に移動したことを示している。
【００３９】
（ｄ）は、移動体端末１０が第１の無線基地局２０１のサービスエリア５０１から第２の無線基地局２０２のサービスエリア５０２に移動したため、ハンドオーバ処理が発生し、第２の無線基地局２０２は、第２の基地局制御装置３１２に、移動体端末１０が移動して来たことを通知し、第２の基地局制御装置３１２と第１の移動体端末終端装置３２１の間のパスに切り替えたことを示している。
【００４０】
（ｅ）は、移動体端末１０がハンドオーバしても、アンカーである移動体端末終端装置３２１との接続が継続されているため、ハンドオーバの影響なく移動体端末終端装置３２１との通信を行っていることを示している。
【００４１】
図６は、本発明の一実施例のハンドオーバの動作シーケンスを示すシーケンス図である。図６では、その前提条件として、移動体端末１０は、既にパケット通信状態にあるものとする。
【００４２】
（ａ）に示すように、パケット通信中の移動体端末１０に、ハンドオーバが発生した直後、移動体端末１０が、ハンドオーバ先の基地局制御装置３１２に向けてパケットチャネルの登録要求を行う。
【００４３】
（ｂ）では、ハンドオーバ先の基地局制御装置３１２が、その上位装置であるプロセッサ（図４、図５等では図示されない）に対して、移動体端末１０が自エリアにてチャネル登録要求をした事を通知している。
【００４４】
（ｃ）では、プロセッサがハンドオーバ対象の移動体端末１０をサポートしている移動体端末終端装置３２に対し、ハンドオーバ先の基地局制御装置３１２にチャネルを移行するように要求している。
【００４５】
（ｄ）では、アンカーとなる移動体端末終端装置３２が、次に通信すべきハンドオーバ先の基地局制御装置３１２を確認し、プロセッサからの要求に対して、応答を返している。
【００４６】
（ｅ）では、プロセッサが、ハンドオーバ先の基地局制御装置３１２に対して、通信すべき移動体端末終端装置３２の情報を通知し、アンカーとなっている移動体端末終端装置３２との通信要求を行っている。
【００４７】
（ｆ）では、ハンドオーバ先の基地局制御装置３１２が通信すべきアンカーである移動体端末終端装置３２を確認し、プロセッサからの要求に対して応答を行っている。
【００４８】
（ｇ）では、ハンドオーバ先の基地局制御装置３１２が、通信すべきアンカーである移動体端末終端装置３２に対してパケットチャネル登録要求を行っている。これを受信した移動体端末終端装置３２は、プロセッサに対して、ハンドオーバ先の基地局制御装置３１２とのパケットチャネル登録要求を行う。
【００４９】
（ｈ）では、プロセッサが移動体端末終端装置３２に対して、パケットチャネル登録要求に対する応答をし、これを受信したアンカーとなる移動体端末終端装置３２は、ハンドオーバ先の基地局制御装置３１２に対してパケットチャネル登録要求への応答を返している。
【００５０】
（ｉ）では、プロセッサがハンドオーバ元の基地局制御装置３１１に対して、ハンドオーバ前のパケットチャネルを解放するように要求していることを示す。
この時、ハンドオーバ元の基地局制御装置３１１は、ハンドオーバ前のパケットチャネルなど、ハンドオーバ前に占有していた内部リソースを解放する。
【００５１】
（ｊ）では、ハンドオーバ元の基地局制御装置３１１が、プロセッサからのパケット通信切断要求を受け、これに対する応答を、プロセッサに返す。
【００５２】
このように、本実施例では、交換機内において、移動体端末終端装置３２をアンカーとすることにより、ハンドオーバが発生しても、対象となる移動体端末１０をサポートしている移動体端末終端装置３２を変更することがないようにしているため、通信しているデータの順序は、ハンドオーバが発生しても、確実に保持される。
【００５３】
また、本実施例では、ハンドオーバ発生時、移動体端末終端装置３２間でユーザ情報をコピーする必要もなくなる。このため、信号の抜けが発生しなくなり、データの再送制御処理等の工程を削除することができる。
【００５４】
さらに、本実施例では、交換機３０内の全ての基地局制御装置３１と、全ての移動体端末終端装置３２との間のパスが、あらかじめメッシュ状に接続されているので、ハンドオーバが発生しても、ハンドオーバ先の基地局制御装置３１と固定された移動体端末終端装置３２間にパスを切り替える処理だけで済むようになる。
【００５５】
本実施例では、上記したように、ハンドオーバ処理の各工程を、最少の処理で行うことを可能としており、ハンドオーバ処理の高速化を実現することができる。
【００５６】
本実施例では、さらに、ハンドオーバ処理の高速化により、システムに与えるハンドオーバ処理の負荷軽減を可能としている。
【００５７】
なお、ＡＴＭ交換機３０は、例えば３ＧＰＰ（３ｒｄ　Ｇｅｎｅｒａｔｉｏｎ　Ｐａｒｔｎｅｒｓｈｉｐ　Ｐｒｏｊｅｃｔ）のコアネットワークアーキテクチャ（ＣＮ）のパケット交換機能のＳＧＳＮ（Ｓｅｒｖｉｃｉｎｇ　ＧＰＲＳ（Ｇｅｎｅｒａｌ　Ｐａｃｋｅｔ　Ｒａｄｉｏ　Ｓｅｒｖｉｃｅ）　Ｓｕｐｐｏｒｔ　Ｎｏｄｅ）に対応させるものであってもよい。この場合、回線交換機能（ＭＳＣ／ＧＭＳＣ）とパケット交換機能は単一ノードで実現することで音声トラフィックから大容量データまで統合的に交換・伝送することを可能としている。
【００５８】
以上本発明を上記実施例に即して説明したが、本発明は、上記実施例の構成にのみ限定されるものでなく、特許請求の範囲の請求項の発明の範囲内で、当業者であればなし得るであろう各種変形、修正を含むことは勿論である。
【００５９】
【発明の効果】
以上説明したように、本発明によれば、ハンドオーバ処理時、移動体端末終端装置を固定しており、基地局制御装置とのパスに切替えるだけで済むことから、ハンドオーバ処理の処理量を低減し、ハンドオーバ処理の高速化を実現することができる。
【００６０】
さらに、本発明によれば、システムに与えるハンドオーバ処理の負荷を軽減することができる。
【図面の簡単な説明】
【図１】本発明の実施の形態を説明するための図である。
【図２】本発明の実施の形態を説明するための図である。
【図３】本発明の実施の形態を説明するための図である。
【図４】本発明の一実施例の構成を説明するための図である。
【図５】本発明の一実施例の動作を説明するための図である。
【図６】本発明の一実施例の動作シーケンスを説明するための図である。
【図７】従来のハンドオーバ処理を説明するための図である。
【符号の説明】
１０　移動体端末
２０　無線基地局
３０　ＡＴＭ交換機
３１　基地局制御装置
３２　移動体端末終端装置
３３　パケット処理装置
３４　ＡＴＭスイッチ
４０　関門交換機
４１　プロトコル変換装置
４２　パケット処理装置
４４　ＡＴＭスイッチ
５０　サービスエリア
６０　ＡＴＭ交換機
６１　基地局制御装置
６２　移動体端末終端装置
【図１】
2004056430.tif 000003
【図２】
2004056430.tif 000004
【図３】
2004056430.tif 000005
【図４】
2004056430.tif 000006
【図５】
2004056430.tif 000007
【図６】
2004056430.tif 000008
【図７】
2004056430.tif 000009